(57)【要約】【課題】ヒートポンプを利用して蓄えた熱を複数の用途に効率よく利用でき、限られたスペースにも設置可能な蓄熱システムを提供する。【解決手段】蓄熱システム１００は、ヒートポンプユニット１，蓄熱槽２，ヘッダー部４，放熱機器６，給湯栓７，給水源８，給湯器９，コントローラ１０，ブロア１１により構成される。蓄熱槽２には、ヒートポンプユニット１で加熱された熱媒体の熱を蓄えるための潜熱蓄熱材３と熱交換器Ｃ１が収納されており、ヘッダー部４には、給湯器９へ送る湯を生成するための熱交換器Ｃ３が収納されている。蓄熱槽２に蓄えられた熱は、放熱機器６を介して室内１１６の暖房に用いられるほか、給湯器９へ送る湯を生成するために用いることができる。このため、蓄熱タンク２に蓄えた熱を複数の用途に利用でき、かつ、設置スペースの削減を図ることができる。【選択図】図１
2008304180.tif 000002
【特許請求の範囲】
【請求項１】
熱媒体を加熱するための熱交換器と循環用ポンプを有するヒートポンプ，
潜熱蓄熱材が充填ないし保持された蓄熱槽，
前記ヒートポンプと蓄熱槽間で前記熱媒体を循環させるヒートポンプ用循環経路，
前記蓄熱槽内に設けられており、前記ヒートポンプ用循環経路を介して送られた熱媒体と熱交換し、前記蓄熱槽内に放熱する蓄熱用熱交換器，
前記蓄熱槽内を通過した熱媒体から吸熱し、給水源から給水経路を介して送られた水と熱交換して湯を生成するとともに、前記湯を給湯機器へ送る給湯経路に接続された給湯用熱交換器，
該給湯用熱交換器と前記蓄熱槽間で前記熱媒体を循環させるとともに、他の循環用ポンプを備えた給湯用熱媒体経路，
前記各経路の所定の位置に設けられており、前記熱媒体，水，湯の出入又は流れの方向を切り替える複数の弁，
前記ヒートポンプ及び循環用ポンプの駆動と、前記複数の弁の開閉ないし切り替えを制御する制御手段，
を備えたことを特徴とする蓄熱システム。
【請求項２】
熱媒体を加熱するための熱交換器と循環用ポンプを有するヒートポンプ，
潜熱蓄熱材が充填ないし保持された蓄熱槽，
前記ヒートポンプと蓄熱槽間で前記熱媒体を循環させるヒートポンプ用循環経路，
前記蓄熱槽内に設けられており、前記ヒートポンプ用循環経路を介して送られた熱媒体と熱交換し、前記蓄熱槽内に放熱する蓄熱用熱交換器，
前記ヒートポンプ用循環経路の所定の位置に設けられており、前記熱媒体の出入又は流れの方向を切り替える複数の弁，
前記ヒートポンプ及び循環用ポンプの駆動と、前記複数の弁の開閉ないし切り替えを制御する制御手段，
を備えたことを特徴とする蓄熱システム。
【請求項３】
前記蓄熱槽が、該蓄熱槽を貫通する空気の通路を備えたことを特徴とする請求項１又は２記載の蓄熱システム。
【請求項４】
前記蓄熱槽が、
前記熱媒体の通路となる配管を保持する凹部が複数設けられた熱交換板と、蓄熱材組成物を伝熱性の高い袋体又は容器の中に密封収納した略平坦状の潜熱蓄熱材を、交互に積み重ねた積層構造を有するとともに、
前記複数の凹部間に、前記空気の通路が形成されることを特徴とする請求項３記載の蓄熱システム。
【請求項５】
前記熱媒体と熱交換する熱交換器を有する放熱機器，
該放熱機器と前記蓄熱槽間で前記熱媒体を循環させる放熱機器用循環経路，
該放熱機器用循環経路に設けられた他の弁，
を備えるとともに、
前記制御手段は、前記他の弁の開閉ないし切り替えを制御することを特徴とする請求項１〜４のいずれかに記載の蓄熱システム。
【請求項６】
前記ヒートポンプ用循環経路から分岐し、前記ヒートポンプと放熱機器間で前記熱媒体を循環させる追炊用循環経路，
を備えたことを特徴とする請求項５記載の蓄熱システム。
【請求項７】
前記蓄熱槽または前記放熱機器に向けて送風する送風手段，
を備えたことを特徴とする請求項１〜６のいずれかに記載の蓄熱システム。
【発明の詳細な説明】
【技術分野】
【０００１】
本発明は、ヒートポンプを利用した蓄熱システムに関し、更に具体的には、蓄熱した熱の有効活用と省スペース化に関するものである。
【背景技術】
【０００２】
従来、低料金の夜間電力を利用してヒートポンプで熱媒体を加熱し、その熱を蓄えておいて必要なときに利用する冷暖房装置や給湯装置がある。通常、前記冷暖房装置や給湯装置は、それぞれ別個の熱源を利用するシステムであるため、熱源の有効活用ができなかったり、システム全体が大型化したりするという不都合があった。一方、冷暖房装置と給湯装置の熱源を１つにまとめた技術としては、例えば、以下の特許文献１に示す「蓄熱式冷暖房給湯装置」がある。当該技術には、冷暖房用の伝熱媒体と給湯用の湯水の双方と熱交換するヒートポンプユニットを用いることが開示されている。
【特許文献１】特開２０００−３４６４９０公報
【発明の開示】
【発明が解決しようとする課題】
【０００３】
しかしながら、以上のような特許文献１に記載の技術では、伝熱媒体及び湯水との熱交換は、１つのヒートポンプユニットで行うものの、伝熱媒体との間で熱量の受渡しを行う蓄熱タンクユニットと、加熱された湯水を給湯可能に貯湯する貯湯ユニットを別々に設ける必要がある。このため、タンク２つ分の設置スペースを要するほか、タンクが１つの場合に比べれば、製造工程や設置工事の手間が増えてしまうという不都合がある。
【０００４】
本発明は、以上の点に着目したもので、その目的は、ヒートポンプを利用して蓄えた熱を、複数の用途に効率よく利用することができ、限られたスペースにも設置することができる蓄熱システムを提供することである。
【課題を解決するための手段】
【０００５】
前記目的を達成するため、本発明の蓄熱システムは、熱媒体を加熱するための熱交換器と循環用ポンプを有するヒートポンプ，潜熱蓄熱材が充填ないし保持された蓄熱槽，前記ヒートポンプと蓄熱槽間で前記熱媒体を循環させるヒートポンプ用循環経路，前記蓄熱槽内に設けられており、前記ヒートポンプ用循環経路を介して送られた熱媒体と熱交換し、前記蓄熱槽内に放熱する蓄熱用熱交換器，前記蓄熱槽内を通過した熱媒体から吸熱し、給水源から給水経路を介して送られた水と熱交換して湯を生成するとともに、前記湯を給湯機器へ送る給湯経路に接続された給湯用熱交換器，該給湯用熱交換器と前記蓄熱槽間で前記熱媒体を循環させるとともに、他の循環用ポンプを備えた給湯用熱媒体経路，前記各経路の所定の位置に設けられており、前記熱媒体，水，湯の出入又は流れの方向を切り替える複数の弁，前記ヒートポンプ及び循環用ポンプの駆動と、前記複数の弁の開閉ないし切り替えを制御する制御手段，を備えたことを特徴とする。
【０００６】
他の発明の蓄熱システムは、熱媒体を加熱するための熱交換器と循環用ポンプを有するヒートポンプ，潜熱蓄熱材が充填ないし保持された蓄熱槽，前記ヒートポンプと蓄熱槽間で前記熱媒体を循環させるヒートポンプ用循環経路，前記蓄熱槽内に設けられており、前記ヒートポンプ用循環経路を介して送られた熱媒体と熱交換し、前記蓄熱槽内に放熱する蓄熱用熱交換器，前記ヒートポンプ用循環経路の所定の位置に設けられており、前記熱媒体の出入又は流れの方向を切り替える複数の弁，前記ヒートポンプ及び循環用ポンプの駆動と、前記複数の弁の開閉ないし切り替えを制御する制御手段，を備えたことを特徴とする。
【０００７】
主要な形態の一つは、前記蓄熱槽が、該蓄熱槽を貫通する空気の通路を備えたことを特徴とする。他の形態は、前記蓄熱槽が、前記熱媒体の通路となる配管を保持する凹部が複数設けられた熱交換板と、蓄熱材組成物を伝熱性の高い袋体又は容器の中に密封収納した略平坦状の潜熱蓄熱材を、交互に積み重ねた積層構造を有するとともに、前記複数の凹部間に、前記空気の通路が形成されることを特徴とする。
【０００８】
更に他の形態は、前記熱媒体と熱交換する熱交換器を有する放熱機器，該放熱機器と前記蓄熱槽間で前記熱媒体を循環させる放熱機器用循環経路，該放熱機器用循環経路に設けられた他の弁，を備えるとともに、前記制御手段は、前記他の弁の開閉ないし切り替えを制御することを特徴とする。
【０００９】
更に他の形態は、前記ヒートポンプ用循環経路から分岐し、前記ヒートポンプと放熱機器間で前記熱媒体を循環させる追炊用循環経路，を備えたことを特徴とする。更に他の形態は、前記蓄熱槽または前記放熱機器に向けて送風する送風手段，を備えたことを特徴とする。本発明の前記及び他の目的，特徴，利点は、以下の詳細な説明及び添付図面から明瞭になろう。
【発明の効果】
【００１０】
本発明は、ヒートポンプにより加熱した熱媒体の熱を、潜熱蓄熱材が充填ないし保持された蓄熱槽に蓄えるとともに、必要に応じて該蓄熱槽に給湯用の熱交換器を接続する。そして、前記蓄熱槽に蓄えた熱を直接放熱する，あるいは、前記蓄熱槽に接続した放熱機器から熱を放熱することにより、前記蓄熱槽を複数用途に共通な熱源として用いることが可能となる。このため、熱源の有効活用，設置スペースの削減，製造工程の短縮，設置工事の効率向上という効果が得られる。
【発明を実施するための最良の形態】
【００１１】
以下、本発明を実施するための最良の形態を、実施例に基づいて詳細に説明する。
【実施例１】
【００１２】
図１〜図１０を参照しながら本発明の実施例１を説明する。図１は、本実施例の蓄熱システムの全体構成を示す図，図２は、本実施例の外観斜視図，図３は、本実施例のヘッダー部の詳細な構成を示す図である。図４は、本実施例の蓄熱槽の構成を示す分解斜視図であり、図５(A)は、前記図４を＃４Ａ−＃４Ａ線に沿って切断し矢印方向に見た断面図，図５(B)は、前記図４を＃４Ｂ−＃４Ｂ線に沿って切断し矢印方向に見た断面図である。図６〜図１０は、本実施例の各種運転例を示す図である。なお、本実施例では、温水を熱媒体として循環利用することとしているが、他の公知の各種の熱媒体（不凍液）などが利用可能である。
【００１３】
＜システム構成＞・・・最初に、図１〜図３を参照して本実施例のシステム構成を説明する。本実施例の蓄熱システム１００は、ヒートポンプユニット１，複数の蓄熱槽２，ヘッダー部４，放熱機器６，給湯栓７，給水源８，給湯器９，コントローラ１０，ブロア１１により構成されている。本実施例では、前記蓄熱システム１００を構成する各部のうち、ヒートポンプユニット１及び給水源８が住居１０２の屋外に設けられており、前記給湯器９が壁１１０の屋外側に設置されている。また、給湯栓７は室内１１６に、コントローラ１０は壁１１０の室内側に、前記蓄熱槽２，ヘッダー部４，放熱機器６，ブロア１１は、床下１０４の基礎１０６上に設けられている。前記放熱機器６は、放熱用の熱交換器Ｃ２を備えている。また、床１０８には、暖気を室内１１６に送り込むための吹出口１０８ａと、室内１１６の空気を回収するための吸込口１０８ｂが設けられている。
【００１４】
まず、前記ヒートポンプユニット１は、熱媒体を加熱する熱交換器，ポンプ，膨張タンク（いずれも図示せず）を備えた公知の構成となっており、熱媒体の循環経路である流水管Ｌ１，Ｌ１１，Ｌ２，Ｌ１２によって、後述する蓄熱槽２内の熱交換器Ｃ１との間で熱媒体を循環させることが可能となっている。なお、前記流水管Ｌ１，Ｌ２には、それぞれ開閉弁Ｖ１が設けられる。前記ヒートポンプユニット１は、例えば、深夜電気料金の時間帯を利用して稼動させると都合がよいが、他の時間帯にも、もちろん稼動させることができる。更に、前記ヒートポンプユニット１には、図示しない室内ルームエアコンなどが必要に応じて一台接続可能となっている。
【００１５】
前記蓄熱槽２は、図４及び図５に示すように、本体２ａの内側に潜熱蓄熱材３が充填されており、該潜熱蓄熱材３中に蓄熱用の熱交換器Ｃ１が浸漬され、蓋２ｂにより密閉されている。前記本体２ａ及び蓋２ｂは、公知の断熱材（例えば、無機質系高発泡不燃断熱材など）により形成されている。そして、前記本体２ａの鍔部に設けられた貫通孔２０ａと、前記蓋２ｂに設けられた貫通孔２０ｂの位置を合わせ、ボルト２２とナット２４を、座金などを介して螺合することにより固定される。本実施例では、前記熱交換器Ｃ１は、前記ヒートポンプユニット１から送られた熱媒体の経路となる入口側のＬ字管３０と、出口側のＬ字管３２と、これらＬ字管３０，３２管をつなぐ多数のＵ字管３４により構成されている。なお、このような熱交換器Ｃ１の構成は一例であり、他の形態の熱交換器を利用するようにしてもよい。
【００１６】
前記Ｌ字管３０に入った熱媒体は、前記Ｕ字管３４を通過して他方のＬ字管３２から蓄熱槽２の外に送り出される間に、前記熱交換器Ｃ１によって熱交換される。該熱交換器Ｃ１が熱媒体から吸収した熱は、蓄熱槽２内に放熱される。すなわち、前記潜熱蓄熱材３に熱が蓄えられる。なお、前記蓋２ｂには、前記Ｌ字管３０と接続する入口３６と、他方のＬ字管３２と接続する出口３８が設けられており、前記本体２ａを蓋２ｂで閉じると、前記Ｌ字管３０，３２と接続するようになっている。前記Ｕ字管３４としては、例えば、伝熱性の高いゴムホースや樹脂製などを用いた毛細管パイプが用いられるが、これに限定されるものではなく、潜熱蓄熱材３中の水分により腐食しないものであれば、公知の各種の熱伝導性の高い材料を用いることができる。
【００１７】
本実施例では、前記潜熱蓄熱材３として、例えば、酢酸ナトリウム水和物，チオ硫酸ナトリウム水和物，硫酸ナトリウム水和物，塩化カルシウム水和物を主成分とした蓄熱材組成物が用いられ、これらの蓄熱材組成物の相変化に伴う凝固熱が利用される。前記酢酸ナトリウム水和物は、比較的高い温度（例えば、５５〜３５℃程度）の熱を確保することができ、硫酸ナトリウム水和物は、やや低めの温度（例えば、３５〜２０℃程度）の熱を確保し、チオ硫酸ナトリウム水和物は、その中間の温度（例えば、４５〜３５℃程度）の熱を確保することができる。どの組成物を用いるかは、前記蓄熱槽２で加熱する熱媒体や温水の使用用途に応じて適切なものを選ぶようにすればよい。むろん、前記蓄熱材組成物は一例であって、用途に応じて他の公知の各種の蓄熱材組成物を使用するようにしてよい。
【００１８】
次に、前記ヘッダー部４は、図３に示すように、前記ヒートポンプユニット１，蓄熱槽２，放熱機器６，給水源８，給湯器９と多数の配管によって接続されており、その内部には、ヘッダーＦ１，Ｆ２や、給湯用の熱交換器Ｃ３，熱媒体及び湯水の多数の経路，それらに設けられたポンプや多数の弁などが収納されている。まず、給湯用の熱交換器Ｃ３は、給水経路Ｌ２１によって前記給水源８に接続され、給湯経路Ｌ２２によって前記給湯器９に接続されている。前記給水経路Ｌ２１には、開閉弁Ｖ５とフロースイッチＳが接続されている。また、前記熱交換器Ｃ３は、熱媒体の経路である流水管Ｌ４３，Ｌ４４に接続されており、前記フロースイッチＳによって給水があったことが検知されると、前記流水管Ｌ４４に熱媒体が送られ、給水経路Ｌ２１から送られた水と熱交換して湯を生成する。
【００１９】
ところで、前記ヒートポンプユニット１に接続された一方の流水管Ｌ１には、３つの接続口５ａ〜５ｃを備えた切替弁Ｍ２が設けられている。該切替弁Ｍ２の接続口５ａには、前記流水管Ｌ１が接続され、他の接続口５ｂには前記ヘッダーＦ１に接続される流水管Ｌ１１が接続され、更に他の接続口５ｃには、放熱機器６へ接続される流水管Ｌ３１が接続されている。前記流水管Ｌ３１は、前記蓄熱槽２に蓄えた熱が消費された場合に、前記ヒートポンプユニット１を使って追い炊きした熱媒体を、直接放熱機器６へ送るための追炊用の循環経路の一部をなすものである。前記接続口５ａから５ｂへ熱媒体が通るように回路を切り替えると、前記流水管Ｌ１が、流水管Ｌ１１とヘッダーＦ１を介して蓄熱槽２内の熱交換器Ｃ１へ通じるようになる。
【００２０】
他方の流水管Ｌ２は、流水管Ｌ１２とＬ３３に分岐し、前記流水管Ｌ１２は前記ヘッダーＦ２に接続され、前記流水管Ｌ３３には、３つの接続口６ａ〜６ｃを備えた切替弁Ｍ３が設けられている。該切替弁Ｍ３の接続口６ａには、前記放熱機器６へ接続される流水管Ｌ３２が接続され、他の接続口６ｂには、前記ヘッダーＦ１へ接続される流水管Ｌ４３が接続され、更に他の接続口６ｃには、前記流水管Ｌ３３が接続されている。
【００２１】
次に、前記ヘッダーＦ１，Ｆ２は、熱媒体の循環経路である流水管Ｌ３〜Ｌ１０によって前記蓄熱槽２の熱交換器Ｃ１に接続されている。前記ヘッダーＦ１には、電磁弁Ｖ２と定流量計Ｒを介して流水管Ｌ３，Ｌ５，Ｌ７，Ｌ９が接続されており、これらの流水管によって熱媒体（本実施例の場合は温水）が前記熱交換器Ｃ１に送られる。また、前記ヘッダーＦ２には、熱動弁Ｖ３を介して流水管Ｌ４，Ｌ６，Ｌ８，Ｌ１０が接続されており、これらの経路を介して前記熱交換器Ｃ１で熱を消費して温度が下がった熱媒体が回収される。なお、回収用の流水管Ｌ４，Ｌ６，Ｌ８，Ｌ１０は、送出用の流水管Ｌ３，Ｌ５，Ｌ７，Ｌ９にそれぞれ対応しており、図２に示すように、それぞれ独立した蓄熱槽２に接続されている（流水管Ｌ９，Ｌ１０に対応する蓄熱槽２は図示せず）。
【００２２】
以上のような経路を利用した熱媒体の循環は、前記ヒートポンプユニット１に設けられたポンプにより行われる。すなわち、流水管Ｌ１→流水管Ｌ１１→流水管Ｌ３，Ｌ５，Ｌ７，Ｌ９→流水管Ｌ４，Ｌ６，Ｌ８，Ｌ１０→流水管Ｌ１２→流水管Ｌ２により、ヒートポンプユニット１と蓄熱槽２間で熱媒体を循環させるためのヒートポンプ用循環経路が形成されている。また、前記流水管Ｌ１→流水管Ｌ３１→流水管Ｌ３２→流水管Ｌ３３→流水管Ｌ２により、ヒートポンプユニット１と放熱機器６間で熱媒体を循環させるための追炊用循環経路が形成される。
【００２３】
また、前記ヘッダーＦ２には、他の流水管Ｌ４１が接続されており、該流水管Ｌ４１には、循環ポンプＰ１と、３つの接続口４ａ〜４ｃを備えた切替弁Ｍ１が設けられている。該切替弁Ｍ１の接続口４ａには、前記流水管Ｌ４１が接続され、他の接続口４ｂには、前記熱交換器Ｃ３に接続する流水管Ｌ４４が接続され、更に他の接続口４ｃには、流水管Ｌ３１に接続される流水管Ｌ４２が接続されている。すなわち、前記切替弁Ｍ１を、接続口４ａ→４ｃとなるように切り替え、更に、前記切替弁Ｍ３を、接続口６ａ→６ｂとなるように切り替えることにより、前記ヘッダーＦ２に回収された熱媒体が、流水管Ｌ４１→流水管Ｌ４２→流水管Ｌ３１→流水管Ｌ３２→流水管Ｌ３３→流水管Ｌ４３の順に流れて前記ヘッダーＦ１に戻る。これにより、蓄熱槽２と放熱機器６の間で熱媒体を循環させる放熱機器用循環経路が形成される。
【００２４】
更に、前記切替弁Ｍ１を、接続口４ａ→４ｂとなるように切り替えることにより、ヘッダーＦ２に回収された熱媒体が、流水管Ｌ４１→流水管Ｌ４４→流水管Ｌ４３の順に流れて前記ヘッダーＦ１に戻る。これにより、前記蓄熱槽２と給湯用熱交換器Ｃ３の間で熱媒体を循環させる給湯用熱媒体経路が形成される。なお、前記放熱機器用循環経路及び給湯用熱媒体経路の循環は、前記循環ポンプＰ１により行われる。以上のような構成の蓄熱システム１００は、前記コントローラ１０により、ポンプ類の駆動や、各種弁の開閉ないし切替などが制御されている。
【００２５】
＜運転例＞・・・次に、本実施例の運転例について説明する。
(1)夜間蓄熱運転・・・最初に、図６を参照して、本実施例の蓄熱システム１００による蓄熱運転について説明する。図中の太線は、熱媒体の流れを示している。例えば、深夜電気料金（２３：００〜７：００）時間帯に、ヒートポンプユニット１を駆動させると、該ヒートポンプユニット１で加熱された熱媒体は、流水管Ｌ１から切替弁Ｍ２の接続口５ａに送られ、接続口５ｂ，流水管Ｌ１１，ヘッダーＦ１，電磁弁Ｖ２，定流量計Ｒ，流水管Ｌ３，Ｌ５，Ｌ７，Ｌ９を通って、蓄熱槽２内の熱交換器Ｃ１に送られる。該熱交換器Ｃ１に送られた熱媒体の熱は、前記蓄熱槽２内の潜熱蓄熱材３に蓄えられる。そして、蓄熱槽２内に放熱して温度が低下し、流水管Ｌ４，Ｌ６，Ｌ８，Ｌ１０，熱動弁Ｖ３，ヘッダーＦ２，流水管Ｌ１２，流水管Ｌ２を介して前記ヒートポンプユニット１に回収される。以上のようにして、加熱→送出→放熱→回収→加熱・・・のサイクルを繰り返すことにより、蓄熱槽２内に熱が蓄えられる。
【００２６】
(2)蓄熱暖房運転・・・次に、図７を参照して、蓄熱暖房運転（放熱運転）について説明する。放熱機器６に接続されたコントローラ１０に運転信号を送ると、循環ポンプＰ１が稼動するとともに、切替弁Ｍ１が、接続口４ａ→４ｃとなるように切り替わり、切替弁Ｍ３が、接続口６ａ→６ｂに切り替わる。すると、前記蓄熱槽２を通過して加熱された熱媒体が、熱動弁Ｖ３，ヘッダーＦ２，流水管Ｌ４１を介して循環ポンプＰ１に入り、更に、流水管Ｌ４２，Ｌ３１を通過して放熱機器６へ送られ、熱交換器Ｃ２で吸熱される。そして、前記放熱機器６へ向けてブロア１１で送風することにより、熱交換器Ｃ２が周囲の空気と熱交換して暖気を発生する。生成された暖気は、床１１８に設けられた吹出口１０８ａから室内１１６へ送られる。
【００２７】
一方、室内１１６の空気は、前記床１１８に設けられた吸込口１０８ｂから床下１０４に回収される。このように、前記熱交換器Ｃ２で熱交換をすることにより、その内部を流れる熱媒体の温度が低下する。温度が低下した熱媒体は、流水管Ｌ３２から切替弁Ｍ３の接続口６ａに入り、該切替弁Ｍ３の接続口６ｂから、流水管Ｌ４３，ヘッダーＦ１，電磁弁Ｖ２，定流量計Ｒ，流水管Ｌ３，Ｌ５，Ｌ７，Ｌ９を介して、再び前記蓄熱槽２に送られて再加熱される。なお、前記コントローラ１０の室温センサもしくは水温センサ（図示せず）が設定温度に達すると、熱動弁Ｖ３が回路ごとに適宜弁を閉める。全ての弁が閉まると循環ポンプＰ１も連動して停止する。
【００２８】
(3)給湯運転・・・次に、図８を参照して、本実施例の給湯運転について説明する。室内１１６に設けられている給湯栓７を開けると、給水源８に接続された給水経路Ｌ２１を介して、ヘッダー部４内の熱交換器Ｃ３に水が送られる。同時に、前記給水源８からの給水がフロースイッチＳにより検知され、切替弁Ｍ１が接続口４ａ→４ｂに切り替わる。すると、前記蓄熱槽２内を通過した熱媒体が、流水管Ｌ４，Ｌ６，Ｌ８，Ｌ１０→熱動弁Ｖ３→ヘッダーＦ２→流水管Ｌ４１を介して循環ポンプＰ１に入り、更に、切替弁Ｍ１の接続口４ａ→４ｂを通過し、流水管Ｌ４４を介して熱交換器Ｃ３に送られる。
【００２９】
該熱交換器Ｃ３では、送られた熱媒体の熱を吸収することによって、給水経路Ｌ２１を介して送られた水を加熱して温水を生成する。生成した温水は、給湯経路Ｌ２２及び給湯器９を介して、前記給湯栓７へ送られる。このような給湯運転は、前記蓄熱暖房運転とは関係なく、任意のタイミングで行うようにしてよい。熱交換器Ｃ３内の通過によって温度が低下した熱媒体は、流水管Ｌ４３，ヘッダーＦ１，電磁弁Ｖ２を介して、再び蓄熱槽２に送られる。
【００３０】
(4)追炊暖房運転・・・次に、図９を参照して、本実施例の追炊暖房運転について説明する。上述した暖房運転中、前記蓄熱槽２が熱量不足になり、放熱機器６側で必要とする適温の熱媒体を供給できなくなった場合には、追炊運転を開始する。追炊運転を開始すると、前記循環ポンプＰ１が停止し、ヒートポンプユニット１が稼動すると同時に、前記切替弁Ｍ２が、接続口５ａ→５ｃとなるように切り替わり、更に、前記切替弁Ｍ３が、接続口６ａ→６ｃとなるように切り替わる。これにより、前記ヒートポンプユニット１から、放熱機器６へ適温の熱媒体を直接供給することができる。詳述すると、前記ヒートポンプユニット１で加熱された熱媒体を、流水管Ｌ１から、切替弁Ｍ２の接続口５ａ→５ｃ，流水管Ｌ３１の順に流して放熱機器６へ送る。放熱機器６に送られてから流水管Ｌ３２に回収されるまでの動作は、上述した蓄熱暖房運転と同様である。流水管Ｌ３２に回収された低温の熱媒体は、切替弁Ｍ３の接続口６ａ→６ｃ，流水管Ｌ３３，流水管Ｌ２を介して、前ヒートポンプユニット１に送られる。そして、再び加熱→送出→放熱→回収→加熱・・・のサイクルが繰り返される。
【００３１】
(5)給湯運転＋追炊暖房運転・・・図１０には、給湯運転と追炊暖房運転を同時に行った場合の熱媒体，湯，水の流れが示されている。上述した給湯運転により、蓄熱槽２に蓄えられた熱が放熱機器６での暖房運転に足りなくなった場合には、上述した追炊暖房運転を同時に行うことができる。この場合は、図１０に示すように、前記図８に示す給湯運転サイクルと、前記図９に示す追炊暖房運転が同時に稼動する。
【００３２】
このように、実施例１によれば、次のような効果がある。
(1)ヒートポンプユニット１により加熱した熱媒体の熱を、蓄熱槽２に蓄えるとともに、該蓄熱槽２に給湯用の熱交換器Ｃ３を循環経路を介して接続する。そして、前記蓄熱槽２に蓄えた熱を、放熱機器６による暖房運転と給湯器９へ送る温水生成に利用することとしたので、前記蓄熱槽２を複数用途に共通な熱源として用いることが可能となる。このため、熱源の有効活用，設置スペースの削減，製造工程の簡略化，設置作業の効率向上を図ることができる。
(2)追炊用循環経路を設け、切替弁Ｍ２，Ｍ３により熱媒体の経路の切り替えを行うこととしたので、蓄熱槽２の熱量が不足になった場合であっても、所望の温度の熱媒体を、ヒートポンプユニット１から放熱機器６へ直接供給することが可能となる。
(3)ヒートポンプユニット１に、室内空調機などを接続できるため、一種類の熱源を更に有効活用することができる。
(4)蓄熱槽２，ヘッダー部４，放熱機器６，ブロア１１を、床下１０４に設けることとしたので、屋外にはヒートポンプユニット１のみを設ければよく、一般住宅のデッドスペースの有効活用を図ることができる。
【実施例２】
【００３３】
次に、図１１及び図１２を参照しながら、本発明の実施例２を説明する。なお、上述した実施例１と同一ないし対応する構成要素には同一の符号を用いることとする（以下の実施例についても同様）。図１１は、本実施例の全体構成を示す図，図１２は、本実施例の外観斜視図である。上述した実施例１は、床下１０４に設けた放熱機器６に向けてブロア１１で送風する構成としたが、本実施例は、前記放熱機器６への送風に、熱交換型換気扇（ないし同時給排気型換気扇）を用いた例である。前記熱交換型換気扇は、室内空気を換気する際に、室内の排気熱を外気温と熱交換させる装置を備えた換気扇であって、その構成は公知である。
【００３４】
図１１及び図１２に示すように、本実施例では、蓄熱槽２，ヘッダー部４，放熱機器６とともに、熱交換型換気扇１３０が床下１０４に設置されている。また、本実施例では、室内１１６ａ及び１１６ｂが壁１２０によって仕切られるとともに、前記室内１１６ａの床に吹出口１０８ａが設けられ、前記室内１１６ｂに吸込口１０８ｂが設けられている。なお、前記壁１２０の適宜位置には、通気口１２２が設けられており、前記室内１１６ａ，１１６ｂ間で空気の流通が可能となっている。
【００３５】
前記熱換気型換気扇１３０は、前記吸込口１０８ｂと回収ダクト１３２によって接続されるとともに、送気ダクト１３８で前記放熱機器６に接続されている。また、回収した室内空気を屋外に排気する排気ダクト１３４と、屋外の空気を取り込む吸気ダクト１３６が接続されている。このような熱交換型換気扇１３０は、図示しない熱交換器を備えており、吸込口１０８ｂから回収ダクト１３２を介して回収した室内空気の熱を、前記吸気ダクト１３６を介して取り込んだ外気と熱交換させる。そして、熱交換後の温度が低下した室内空気を、排気ダクト１３４を介して屋外に排出し、熱交換によって温度が上昇した外気を、送気ダクト１３８を介して放熱機器６に送ることによって、上述した実施例１と同じように放熱機器６と周囲の空気との熱交換を促して暖気を生成する。
【００３６】
以上説明したように、本実施例によれば、熱交換型換気扇１３０によって、屋外から取り込んだ外気と回収した室内空気を熱交換してから、温められた外気を放熱機器６へ向けて送風することとした。このため、上述した実施例１の効果に加え、室内の換気を行いながら、回収した室内空気の熱を有効活用できるという効果がある。
【実施例３】
【００３７】
次に、図１３を参照しながら、本発明の実施例３を説明する。図１３は、本実施例の全体構成を示す図である。上述した実施例１及び２は、床１０８に吹出口１０８ａと吸込口１０８ｂを設けることとしたが、本実施例は、天井１１２から室内空気を回収する構造とした例である。図１３に示すように、本実施例のシステムでは、床１１８に吹出口１０８ａが設けられ、天井１１２に吸込口１５４が設けられている。天井裏１１４には、前記吸込口１５４に接続するファン１５６が設置されている。また、室内１１６には、放熱機器６と切替ダンパー１５０が設けられており、前記放熱機器６は、前記ファン１５６及びダクト１５８を介して、前記吸込口１５４に接続されている。前記切替ダンパー１５０は、室内１１６側に形成された吹出口１５２ａと、前記床１０８に形成された吹出口１５２ｂを備えており、放熱機器６から放熱された熱を、室内１１６又は床下１０４の所望の方向へ送り出すように切り替えが可能となっている。
【００３８】
本実施例では、蓄熱槽２に蓄えられた熱により室内１１６の暖房を行う場合は、前記切替ダンパー１５０を、吹出口１５２ａ側に切り替え、放熱機器６により生じた暖気を直接室内に送る。室内１１６の空気は、前記吸込口１５４からファン１５６及びダクト１５８を介して放熱機器６に戻り、再び加熱されて吹出口１５２ａから室内１１６に送られる。一方、室内１１６が所望の温度に達した場合や、床下１０４からの間接的な暖房を行う場合には、前記切替ダンパー１５０を吹出口１５２ｂ側に切り替え、暖気を床下１０４に送り、該床下１０４を温めて室内１１６を間接的に温める。また、同時に、床１０８に設けた吹出口１０８ａからも、室内１１６に温められた空気が供給される。
【００３９】
このように、本実施例によれば、放熱機器６を室内１１６に設けるとともに、室内１１６側の吹出口１５２ａと床１０８側の吹出口１５２ｂを備えた切替ダンパー１５０を設けることとした。このため、前記放熱機器６によって生成された暖気を、室内１１６と床下１０４に切り替えて送ることができ、室内１１６の直接暖房と、床下１０４からの間接的な暖房を切り替えることができる。
【実施例４】
【００４０】
次に、図１４〜図１７を参照しながら、本発明の実施例４を説明する。上述した実施例１〜３はいずれも、蓄熱槽２に蓄えた熱を放熱機器６に送り、該放熱機器６に送風することで室内１１６の暖房を行う構成としたが、本実施例は、前記放熱機器６に送風を行わない構成とした例である。まず、図１４に示す例は、放熱機器１６０が室内１１６の床１０８に設置された例であり、図１５に示す例は、放熱機器１７０を床１０８に埋め込んだ例である。図１６に示す例は、放熱機器１８０を天井裏１１４に設けた例，図１７に示す例は、放熱機器１９０を壁１１０に埋め込んだ例である。いずれの場合も、上述した実施例１のようにブロア１１を使用した対流式の場合と異なり、放熱機器１６０〜１９０の熱を輻射することにより、室内１１６の埃などを舞い上げることがないため、空気を汚さずに暖房することができる。
【実施例５】
【００４１】
次に、図１８を参照しながら、本発明の実施例５を説明する。本実施例は、蓄熱槽の変形例を示すものであり、図１８は、本実施例の蓄熱槽の構成を示す分解斜視図である。図１８に示すように、本実施例の蓄熱槽２００は、上述した実施例１の蓄熱槽２よりも薄型に形成されており、潜熱蓄熱材３（図示せず）が充填される本体２０２及びその蓋２０４と、前記本体２０２内に浸漬される熱交換器Ｃ４により構成されている。前記本体２０２及び蓋２０４は、公知の断熱材などにより形成されている。前記本体２０２には、適宜位置に溝（ないし切欠）２０６が形成され、更に、上端部から前記溝２０６まで貫通する貫通孔２０８が設けられている。前記蓋２０４には、前記貫通孔２０８に対応する位置に、貫通孔２１０が形成されている。また、前記蓋２０４には、後述する熱交換器Ｃ４のＬ字管２２０，２２２の端部を通すための開口部２１２，２１４が設けられている。そして、前記本体２０２の貫通孔２０８と、前記蓋２０４の貫通孔２１０の位置を合わせ、ボルト２１６を通し、前記溝２０６内でナット２１８を螺合することにより、本体２０２と蓋２０４が固定される。
【００４２】
前記熱交換器Ｃ４は、ヒートポンプユニット１から送られた熱媒体の入口側のＬ字管２２０と、出口側のＬ字管２２２と、これらＬ字管２２０及び２２２の間をつなぐ多数のＵ字管２２４と、該Ｕ字管２２４の入口側と出口側の間にピッチを等間隔に保つために適宜間隔で配置された複数のスペーサ２２６により構成されている。前記Ｌ字管２２０に入った熱媒体は、前記Ｕ字管２２４を通過しながら熱交換され、他方のＬ字管２２２から蓄熱槽２００外に送り出される。前記Ｕ字管２２４としては、例えば、前記実施例１と同様のものや、カーボンファイバーなどが用いられる。このような蓄熱槽２００は、前記本体２０２の側面の適宜位置に設けられた取付金具２２８を介して、ボルト２３０を壁などにねじ込むことにより、所望の位置に設定される。本実施例の作用・効果は、基本的には前記実施例１と同様であるが、本実施例では、蓄熱槽２００を薄型に形成することとしたので、壁面に埋め込むようにするなど、狭いスペースにも設置が可能となる。
【実施例６】
【００４３】
次に、図１９〜図２１を参照しながら、本発明の実施例６を説明する。図１９は、本実施例の蓄熱システムの全体構成を示す図，図２０は、本実施例の蓄熱槽の構成を示す分解斜視図である。図２１は、前記図２０の蓄熱槽を組み立てた状態で、＃２０−＃２０線に沿って切断し矢印方向に見た断面図である。上述した実施例１は、蓄熱槽２に蓄えた熱を、放熱機器６を介して放熱することとしたが、本実施例は、蓄熱槽自体が放熱機器を兼ねた構成となっている。図１９に示すように、本実施例の蓄熱システムでは、蓄熱槽３００，ヘッダー部４，ブロア１１が床下１０４に設けられている。前記ブロア１１は、前記蓄熱槽３００に向けて送風が可能な位置に配置されている。
【００４４】
図２０及び図２１に示すように、前記蓄熱槽３００は、底面３０２，上面３０４，側面３０６及び３０８，仕切り３１０により形成されており、内側には、熱交換器Ｃ５と蓄熱材３２０が交互に複数積み重ねられている。前記底面３０２，上面３０４，側面３０６及び３０８，仕切り３１０は、公知の断熱性を有する材料により形成されている。まず、前記熱交換器Ｃ５は、熱媒体の通路となる流水管３１８と、該流水管３１８を収納する窪み３１４が複数設けられた熱交換板３１２により構成されており、前記窪み３１４間には、図２１に示すように隙間３１６が形成されている。前記熱交換板３１２は、熱伝導性が高い金属板（例えばアルミニウム板）などにより形成されている。
【００４５】
前記蓄熱材３２０は、伝熱性が高い袋体ないし容器に、潜熱蓄熱材を密封収納した構造となっており、全体が略平坦状に形成されている。前記袋体としては、例えば、アルミニウム，ナイロン，ポリエチレン，ポリプロピレン，ポリエチレンテレフタレートなどを用いて多重積層形成した内袋の外側を、強度を補うために外袋で覆った２重構造のものが用いられる。また、容器の場合は、ポリエチレン又はポリプロピレンのいずれかを原料としたポリオレフィンブロー成型による充填容器などが用いられる。なお、潜熱蓄熱材としては、上述した実施例１と同様のものが用いられる。
【００４６】
以上のような熱交換器Ｃ５と蓄熱材３２０を交互に積み重ねると、図２１に示すように、窪み３１４間に隙間３１６が形成され、該隙間３１６中を空気が通過可能となる。このたため、前記蓄熱槽３００にヒートポンプユニット１で加熱した熱を蓄えておくと、該蓄熱槽３００に向けてブロア１１で直接送風することにより、前記隙間３１６に一方の端部から入った空気が、該隙間３１６中を通過する間に前記熱交換器Ｃ５により加熱され、他方の端部から蓄熱槽３００の外に送り出される。蓄熱槽３００から送り出された暖気は、床１０８の吹出口１０８ａから室内１０６に送り出され、前記床１０８の吸込口１０８ｂから床下１０４に回収される。このように、本実施例によれば、蓄熱槽３００が放熱機器を兼ねる構成としたので、システム構成を簡単にして、設置スペースの一層の削減を図ることができるという効果がある。
【実施例７】
【００４７】
次に、図２２を参照しながら、本発明の実施例７を説明する。本実施例は、上述した実施例６と同様に、蓄熱槽自体が放熱機器を備えた構成となっている。本実施例では、図２２に示すように、蓄熱槽３００の両端側に、空気の対流を防止するためのチャンバ３００ａ，３００ｂが設けられており、一方のチャンバ３００ｂには、ブロア１１を介してダクト３０１が接続されている。前記ブロア１１は、送風の向きの変更が可能となっている。前記チャンバ３００ａ，３００ｂは、例えば、金属板などによって形成されており、送風時は開き、送風が停止すると閉じる構成となっている。また、床１０８の適宜位置には、吹出口や吸込口として作用する通気口１０９ａ，１０９ｂが設けられている。図示の例では、通気口１０９ｂに前記ダクト３０１が接続されている。
【００４８】
床下暖房を行う場合は、前記ブロア１１で蓄熱槽３００に向けて送風し、該蓄熱槽３００を通過した暖気によって床下１０４を暖める。前記床下１０４の暖気の一部は、前記通気口１０９ａから室内１１６へ送られ室内１１６を暖める。また、室内１１６の空気は、他方の通気口１０９からダクト３０１に回収され、再び蓄熱槽３００へ向けて送られる。本実施例では、前記蓄熱槽３００を通過した暖気を床下１０４に送っているため、床１０８の暖房効果が高いが、ブロア１１による送風の向きを逆にすることにより、蓄熱槽３００を通過した暖気を直接室内１１６に送り、室内の暖房効果を高めるようにしてもよい。更に、チャンバ３００ａ，３００ｂの双方にダクトを接続し、任意のダクトから暖気を室内１１６に供給するようにしてもよい。
【００４９】
一方、夏季など給湯運転のみを行う場合は、前記ブロア１１を作動させず、前記チャンバ３００ａ，３００ｂを閉じることで、蓄熱槽３００を通過した暖気の対流によって床１０８が暖まるのを防止することができる。
【実施例８】
【００５０】
次に、図２３を参照しながら本発明の実施例８を説明する。本実施例の蓄熱システムは、給湯運転を行わず、蓄熱槽の熱を利用して暖房のみを行うものであり、前記蓄熱槽が放熱機器を兼ねている。本実施例では、図２３に示すように、通気口１０９ａから床下１０４に回収された空気は、前記蓄熱槽３００を通過して暖められ、ブロア１１によって、ダクト３０１を介して通気口１０９ｂから室内１１６へ向けて送られている。このように、蓄熱槽３００を通過した空気を直接室内１１６へ送ることによって、室内１１６の暖房効果を高めることができる。
【００５１】
なお、本発明は、上述した実施例に限定されるものではなく、本発明の要旨を逸脱しない範囲内において種々変更を加え得ることができる。例えば、以下のものも含まれる。
(1)前記実施例における形状，寸法は一例であり、同様の効果を奏するように適宜変更してよい。
(2)前記実施例で示した蓄熱槽２，２００，３００も一例であり、同様の効果を奏するように適宜変更してよい。同様に、前記熱交換器Ｃ１，Ｃ４，Ｃ５の構成も一例であり、同様の効果を奏するように適宜設計変更してよい。また、前記蓄熱槽２，２００，３００で使用する蓄熱材組成物も一例であり、公知の各種の蓄熱材組成物を適用してよい。
(3)前記システム構成も一例であり、給湯経路に追炊や温度調節を行うためのヒータなどを設けるようにしてもよい。また、前記実施例１では、複数の蓄熱槽２に対して一つの放熱機器６とブロア１１を設けることとしたが、これらを複数用意して必要な部分の放熱機器からのみ放熱を行うようにしてもよい。
【００５２】
(4)前記実施例で示した放熱機器６，１６０，１７０，１８０，１９０も一例であり、熱交換コイル＋ファン，熱交換コイル＋熱交換型換気扇，温水ファンコンベクターなどの対流式の放熱機器のほか、温水床暖房，温水パネルヒーター，輻射式冷温水天井，壁冷暖房などの輻射式の放熱機器を用いるようにしてもよい。
(5)前記実施例で示した各種循環経路の接続構造や弁の配置なども一例であり、同様の効果を奏するように適宜設計変更してよい。また、前記実施例１では、蓄熱槽２を４つ設置することとしたが、これも一例であり、蓄熱槽の数は、必要に応じて適宜増減してよい。
(6)前記実施例１及び２では、吹出口１０８ａと吸込口１０８ｂをそれぞれ一つずつ設けることとしたが、これも一例であり、例えば、吹出口１０８ａを複数設け、吸込口１０８ｂを一箇所設けるようにするなど、必要に応じて設置数を適宜変更してよい。また、前記吸込口１０８ｂを設ける場所は、室内に限定されるものではなく、例えば、押入れの中など、目に付かない場所に設けるようにしてもよい。
【００５３】
(7)本発明の蓄熱システムは、電気料金の安い夜間に通電して蓄熱を行うとランニングコストを削減することができるが、その他の時間帯に蓄熱を行うことを妨げるものではない。
(8)上述した作用も一例であり、同様の効果を奏するように適宜変更可能である。例えば、前記実施例１では、蓄熱運転と放熱運転（暖房運転）を異なる時間帯に行うこととしたが、蓄熱運転と放熱運転を同時に行うようにしてもよい。また、ヒートポンプユニット１が、室内空調機器を接続するための他の熱交換器を備えている場合、夏場には、前記室内空調機器のみを利用して冷房を行うことも可能である。
【００５４】
(9)前記コントローラ１０は、室内１１６の壁１１０などに設けるようにしてもよいし、リモコンなどによって手元操作が可能な構成としてもよい。
(10)前記実施例で示した蓄熱槽２，２００，３００の設置場所も一例であり、住居の１階と２階の間に設けるようにしてもよいし、階段の下や納戸の床下，あるいは、室外に設置するようにするなど、必要に応じて任意に変更可能である。
【産業上の利用可能性】
【００５５】
本発明によれば、ヒートポンプにより加熱した熱媒体の熱を、潜熱蓄熱材を充填ないし保持した蓄熱槽に蓄えるとともに、必要に応じて前記蓄熱槽に給湯用の熱交換器を接続する。そして、前記蓄熱槽に蓄えた熱を直接放熱する，あるいは、前記蓄熱槽に接続した放熱機器から熱を放熱することにより、前記蓄熱槽を複数用途に共通な熱源として利用可能となるため、蓄熱システムの用途に適用できる。特に、一般住宅などのように設置スペースが限られている場合の蓄熱システムとして好適である。
【図面の簡単な説明】
【００５６】
【図１】本発明の実施例１の蓄熱システムの全体構成を示す図である。
【図２】前記実施例１の外観斜視図である。
【図３】前記実施例１のヘッダー部の詳細な構成を示す図である。
【図４】前記実施例１の蓄熱槽の構成を示す分解斜視図である。
【図５】前記実施例１の蓄熱槽の断面図であり、(A)は前記図４を＃４Ａ−＃４Ａ線に沿って切断し矢印方向に見た図，(B)は前記図４を＃４Ｂ−＃４Ｂ線に沿って切断し矢印方向に見た図である。
【図６】前記実施例１の夜間蓄熱運転時の熱媒体の流れを示す図である。
【図７】前記実施例１の放熱暖房運転時の熱媒体の流れを示す図である。
【図８】前記実施例１の給湯運転時の熱媒体，水，湯の流れを示す図である。
【図９】前記実施例１の追炊暖房運転時の熱媒体の流れを示す図である。
【図１０】前記実施例１の追炊暖房運転と給湯運転を同時に行う場合の熱媒体，水，湯の流れを示す図である。
【図１１】本発明の実施例２の蓄熱システムの全体構成を示す図である。
【図１２】前記実施例２の外観斜視図である。
【図１３】本発明の実施例３の蓄熱システムの全体構成を示す図である。
【図１４】本発明の実施例４の蓄熱システムの全体構成を示す図である。
【図１５】前記実施例４の変形例の全体構成を示す図である。
【図１６】前記実施例４の変形例の全体構成を示す図である。
【図１７】前記実施例４の変形例の全体構成を示す図である。
【図１８】本発明の実施例５の蓄熱槽の構成を示す分解斜視図である。
【図１９】本発明の実施例６の蓄熱システムの全体構成を示す図である。
【図２０】前記実施例６の蓄熱槽の構成を示す分解斜視図である。
【図２１】前記図２０を＃２０−＃２０線に沿って切断し矢印方向に見た断面図である。
【図２２】本発明の実施例７の蓄熱システムの全体構成を示す図である。
【図２３】本発明の実施例８の全体構成を示す図である。
【符号の説明】
【００５７】
１：ヒートポンプユニット
２：蓄熱槽（蓄熱ボックス）
２ａ：本体
２ｂ：蓋
３：潜熱蓄熱材
４：ヘッダー部
４ａ〜４ｃ，５ａ〜５ｃ，６ａ〜６ｃ：接続口
６：放熱機器
７：給湯栓
８：給水源
９：給湯器
１０：コントローラ
１１：ブロア
２０ａ，２０ｂ：貫通孔
２２：ボルト
２４：ナット
３０，３２：Ｌ字管
３４：Ｕ字管
３６：入口
３８：出口
１００：蓄熱システム
１０２：住居
１０４：床下
１０６：基礎
１０８：床
１０８ａ：吹出口
１０８ｂ：吸込口
１０９ａ，１０９ｂ：通気口
１１０，１２０：壁
１１２：天井
１１４：天井裏
１１６，１１６ａ，１１６ｂ：室内
１２２：通気口
１３０：熱交換型換気扇
１３２：回収ダクト
１３４：排気ダクト
１３６：吸気ダクト
１３８：送気ダクト
１５０：切替ダンパー
１５２ａ，１５２ｂ：吹出口
１５４：吸込口
１５６：ファン
１５８：ダクト
１６０，１７０，１８０，１９０：放熱機器
２００：蓄熱槽
２０２：本体
２０４：蓋
２０６：溝
２０８，２１０：貫通孔
２１２，２１４：開口部
２１６：ボルト
２１８：ナット
２２０，２２２：Ｌ字管
２２４：Ｕ字管
２２６：スペーサ
２２８：取付金具
２３０：ボルト
３００：蓄熱槽
３００ａ，３００ｂ：チャンバ
３０１：ダクト
３０２：底面
３０４：上面
３０６，３０８：側面
３１０：仕切り
３１２：熱交換板
３１４：窪み
３１６：隙間
３１８：流水管
３２０：蓄熱材
Ｃ１，Ｃ２，Ｃ３，Ｃ４，Ｃ５：熱交換器
Ｆ１，Ｆ２：ヘッダー
Ｌ１〜Ｌ１２，Ｌ３１，Ｌ３２，Ｌ４１〜Ｌ４４：流水管（熱媒体の循環経路）
Ｌ２１：給水経路
Ｌ２２：給湯経路
Ｍ１，Ｍ２，Ｍ３：切替弁
Ｐ１：循環ポンプ
Ｒ：定流量計
Ｓ：フロースイッチ
Ｖ１，Ｖ５：開閉弁
Ｖ２：電磁弁
Ｖ３：熱動弁
【図１】
2008304180.tif 000003
【図２】
2008304180.tif 000004
【図３】
2008304180.tif 000005
【図４】
2008304180.tif 000006
【図５】
2008304180.tif 000007
【図６】
2008304180.tif 000008
【図７】
2008304180.tif 000009
【図８】
2008304180.tif 000010
【図９】
2008304180.tif 000011
【図１０】
2008304180.tif 000012
【図１１】
2008304180.tif 000013
【図１２】
2008304180.tif 000014
【図１３】
2008304180.tif 000015
【図１４】
2008304180.tif 000016
【図１５】
2008304180.tif 000017
【図１６】
2008304180.tif 000018
【図１７】
2008304180.tif 000019
【図１８】
2008304180.tif 000020
【図１９】
2008304180.tif 000021
【図２０】
2008304180.tif 000022
【図２１】
2008304180.tif 000023
【図２２】
2008304180.tif 000024
【図２３】
2008304180.tif 000025